(57)【要約】【課題】  消火器ボックスに蓋体を設けるにあたり、蝶番やラッチ機構を不要にしてコストダウンが図れるだけでなく、蓋体の容易かつ確実な開閉を可能にする。【解決手段】  パイプスペースＰＳを覆う金属パネル１の内側に突設され、金属パネル１の開口部１ａを介して、金属パネル１の外側から消火器の収納／取出しを行う消火器ボックス２であって、該消火器ボックス２は、金属パネル１の内側に突設されるボックス本体３と、金属パネル１の開口部１ａを開閉する着脱式の蓋体４とを備えて構成されると共に、該蓋体４は、ボックス本体３又は金属パネル１に係合される係合部８と、金属パネル１の開口部１ａ周縁に重合する重合部６ａと、該重合部６ａの裏面を金属パネル１に磁着させる磁着部７とを有する。【選択図】        図２
2006102087.tif 000002
【特許請求の範囲】
【請求項１】
パイプスペースを覆う金属パネルの内側に突設され、金属パネルの開口部を介して、金属パネルの外側から消火器の収納／取出しを行う消火器ボックスであって、該消火器ボックスは、金属パネルの内側に突設されるボックス本体と、金属パネルの開口部を開閉する着脱式の蓋体とを備えて構成されると共に、該蓋体は、ボックス本体又は金属パネルに係合される係合部と、金属パネルの開口部周縁に重合する重合部と、該重合部の裏面を金属パネルに磁着させる磁着部とを有することを特徴とする消火器ボックス。
【請求項２】
前記磁着部は、蓋体の裏面周縁部に貼着されるマグネットテープであることを特徴とする請求項１記載の消火器ボックス。
【請求項３】
前記係合部は、蓋体の裏面下部に設けられる係合突起であり、ボックス本体の底面部に形成される係合孔に係合されることを特徴とする請求項１又は２記載の消火器ボックス。
【請求項４】
前記蓋体には、閉塞時にボックス内を目視可能にし、かつ、開閉時に指掛けとして機能する孔が形成されることを特徴とする請求項１〜３のいずれかに記載の消火器ボックス。
【発明の詳細な説明】
【技術分野】
【０００１】
本発明は、マンション等のパイプスペースを覆う金属パネル（ドアパネルや嵌め殺しパネル）の内側に突設され、金属パネルの開口部を介して、金属パネルの外側から消火器の収納／取出しを行う消火器ボックスに関する。
【背景技術】
【０００２】
一般に、この種消火器ボックスは、マンション等の共同通路などの壁面や床面の所定箇所に単独で設置されるが、据え置きタイプでは通行の邪魔となり、壁面埋め込みタイプでは施工工事が強いられる。また、設置場所の確保も難しいことから、近年では、マンション等のパイプスペースを利用して設けられる消火器ボックスが提案されている（例えば、特許文献１、２参照）。特許文献１、２に示される消火器ボックスは、パイプスペースを覆う金属パネルの内側に突設され、金属パネルの開口部を介して、金属パネルの外側から消火器の収納／取出しを行うように構成されている。
【０００３】
しかしながら、特許文献１、２に示される消火器ボックスは、常に開放状態であるため、消火器やボックス内部が埃などで汚れやすいという欠点を有するだけでなく、消火器が常時露出状態となり、共有スペースの美観を損ねるという問題がある。
【０００４】
そこで、消火器ボックスに開閉自在な蓋体を設けることが提案される。例えば、このような蓋体は、蓋となるプレートと、プレートを開閉自在に支持する蝶番と、プレートを閉鎖位置に係止するラッチ機構とを用いて構成することができる。しかしながら、このような蓋体を消火器ボックスに設ける場合、大掛かりな設計変更が必要になり、大幅なコストアップとなる。また、マンション等のパイプスペースを覆うパネルは、通常、定期的な改修工事においてペンキの塗り替えが行われるため、蝶番やラッチ機構にペンキが入り込み、開閉頻度の少ない使用状態においては円滑な開閉性が損なわれる可能性もあり、更には、蓋体の手前にその下部を覆う障害物が置かれただけでも、蓋体を開閉することができず、緊急時に消火器を取り出せないという不具合がある。
【特許文献１】意匠登録第１０２８８４２号公報
【特許文献２】意匠登録第１０４８３１３号公報
【発明の開示】
【発明が解決しようとする課題】
【０００５】
本発明は、上記の如き問題点を一掃すべく創案されたものであって、開閉頻度の少ない蓋体付の消火器ボックスでありながら、蝶番やラッチ機構を不要にしてコストダウンを図ると共に、緊急時における容易かつ確実な開閉を可能とすることのできる消火器ボックスの提供を目的とする。
【課題を解決するための手段】
【０００６】
上記課題を解決するために本発明の消火器ボックスは、パイプスペースを覆う金属パネルの内側に突設され、金属パネルの開口部を介して、金属パネルの外側から消火器の収納／取出しを行う消火器ボックスであって、該消火器ボックスは、金属パネルの内側に突設されるボックス本体と、金属パネルの開口部を開閉する着脱式の蓋体とを備えて構成されると共に、該蓋体は、ボックス本体又は金属パネルに係合される係合部と、金属パネルの開口部周縁に重合する重合部と、該重合部の裏面を金属パネルに磁着させる磁着部とを有することを特徴とするものである。
【発明の効果】
【０００７】
本発明は、蓋体付きの消火器ボックスでありながら、蝶番やラッチ機構を不要にしてコストダウンが図れるばかりか、開閉頻度の少ない状態で使用されることに起因して、たとえ蓋体の過半部手前側に障害物が置かれたとしても、金属パネルに対して磁着された着脱式となっているため、障害物との間に蓋体を傾動させ上方に持ち上げるだけのスペースさえあれば簡単に取り外すことができ、容易かつ確実に開閉できるだけでなく、緊急時における消火器の取り出し可能な態様を拡大することができる。また、蓋体は、その製作にあたっても寸法に自由度を持たせることができ、しかも、ボックス本体又は金属パネルに係合される係合部を備えるので、ボックス本体や金属パネルに対する位置ズレも防止できる。
【発明を実施するための最良の形態】
【０００８】
以下、本発明の実施の形態を好適な実施の形態として例示する消火器ボックスを図面に基づいて詳細に説明する。図１は、パイプスペースを覆う金属パネルの斜視図である。この図に示すように、マンション等の廊下部分には、各種の配管や、電気メータ、ガスメータ、水道メータ等のメータ類を収容する建造室型や露出型のパイプスペースＰＳが確保されており、パイプスペースＰＳの前面または周囲は、通常、嵌め殺しパネルやドアパネルを構成する金属パネル１で覆われている。尚、パイプスペースＰＳを覆う金属パネル１としては、通常、鋼板（磁性金属板）が用いられ、任意色の塗装が施される。
【０００９】
本発明の消火器ボックス２は、パイプスペースＰＳを利用して設けられるものであり、具体的には、金属パネル１の内側に突設され、金属パネル１の開口部１ａを介して、金属パネル１の外側から消火器（図示せず）の収納／取出しを行うように構成される。尚、金属パネル１に対する消火器ボックス２の取付方法は任意であるが、本実施形態では、開口部１ａの左右縁部に内側に突出するブラケット１ｂを予め溶着しておき、ここに消火器ボックス２をネジ止めする方法が適用される。なお、金属パネル１はドアパネル、間仕切りパネル等を含み、建造室型パイプスペースＰＳに採用する際には消火器ボックス２をドアパネルに設けるようにする。
【００１０】
図２は、消火器ボックスの分解斜視図、図３は、消火器ボックスの正面図、図４は、消火器ボックスのＡ−Ａ断面図である。これらの図に示すように、消火器ボックス２は、消火器が収容されるボックス本体３と、該ボックス本体３を開閉する着脱式の蓋体４とから構成されている。
【００１１】
ボックス本体３は、正面が開口した箱体であり、パイプスペースＰＳ内に突出するように、前記ブラケット１ｂにネジ止めされる。ボックス本体３の奥面には、フック５が取り付けられており、ここに消火器を掛けることができる。また、ボックス本体３の底面部前端側には、左右一対の係合孔３ａが形成されている。この係合孔３ａは、蓋体４の位置決め孔として機能するが、ボックス本体３の水抜き孔としても機能させることができる。尚、ボックス本体３を形成する素材は任意である。例えば、金属板をプレス曲げ加工して形成されるが、樹脂の射出成形品であってもよい。
【００１２】
蓋体４は、蓋本体となるプレート６を有し、その周辺部は、金属パネル１の開口部１ａ周縁に重合する重合部６ａとなる。つまり、プレート６は、金属パネル１の開口部１ａよりも上下寸法及び／又は左右寸法が大きく設定されている。重合部６ａの裏面には、蓋体４を金属パネル１に磁着させる磁着部７が周縁の上部及び左右部位に設けられている。蓋体４をこのように構成すると、蝶番やラッチ機構を用いることなく、蓋体４で開口部１ａを塞ぐことが可能になる。
【００１３】
磁着部７は、例えば、蓋体４の裏面側周縁部（金属パネル側であっても良い）に永久磁石を貼着して構成されるが、永久磁石としては、肉厚な硬質磁石ではなく、可撓性を有する帯状のマグネットテープを用いることが好ましい。磁着部７をこのように構成すると、蓋体４の厚さ寸法を抑えられるだけでなく、マグネットテープを緩衝材に兼用することができる。また、磁着部７の磁着力は、蓋体４の開閉頻度が少なく、緊急時の取り外し易さを考慮して、閉鎖状態を保持しうる程度のものであればよく、連続状とせず周縁部の任意ピッチに割り振りして設けてもよい。
【００１４】
蓋体４には、ボックス本体３（又は金属パネル１）に係合される係合部８が設けられている。このような係合部８を設けると、蓋体４を金属パネル１の開口部１ａに対して位置決めできるだけでなく、その後の位置ズレを防止することができる。例えば、本実施形態の係合部８は、蓋体４の裏面下部に設けられる左右一対の係合突起からなり、ボックス本体３に形成される前述の係合孔３ａに係合される。
【００１５】
また、蓋体４を構成するプレート６の中央部には、円形等の孔６ｂが形成されている。この孔６ｂは、閉塞時にボックス内を目視可能にするだけでなく、開閉時には、指掛けとして機能するようになっている。これにより、把手部材を不要にし、蓋体４の構成を更に簡略化することが可能になる。
【００１６】
叙述の如く構成された本発明の実施形態において、蓋体４を用いて、消火器ボックス２（金属パネル１の開口部１ａ）を閉塞する場合には、まず、蓋体４の下端部のみをボックス本体３に近づけて、係合部８をボックス本体３の係合孔３ａに係合させる。これにより、蓋体４は、ボックス本体３で仮支持されると共に、ボックス本体３及び金属パネル１の開口部１ａに対して位置決めされる。次に、蓋体４の周縁部全体を金属パネル１に当接させる。これにより、蓋体４は、磁着部７の磁力で金属パネル１に磁着し、以降、位置ズレすることなく閉塞姿勢を保持する。
【００１７】
一方、消火器ボックス２（金属パネル１の開口部１ａ）を開放する場合は、まず、孔６ｂに指を入れ、蓋体４を手前に引く。これにより、蓋体４は、磁着状態を解除しつつ、係合部８を支点として前方に回動（傾動）する。次に、蓋体４を手前側上方に持ち上げると、蓋体４が消火器ボックス２から分離され、金属パネル１の開口部１ａが開放される。なお、係合部８と係合孔３ａを下部に設けたが左右何れか一側に設けるようにしても良い。この場合蓋体４の自重により外れる可能性があるので、蓋体下部にボックス本体底部に係止する保持片を設けておくことが望ましい。
【００１８】
ところで、消火器ボックスの蓋体４は、開閉頻度の少ない状態で使用されるため、ペンキの塗り替え工事などで蝶番やラッチ機構にペンキが入り込んだり、ラッチ機構に物が衝突して破損するなどの外部要因も加わって、円滑な開閉性が損なわれる可能性があり、更には、蓋体の手前にその下部を覆う障害物が置かれただけでも、蓋体を開閉することができず、緊急時に蓋体を全開するスペースがなければ消火器を取り出せないという不測の事態も想定される。しかしながら、本発明における消火器ボックス２によれば、開閉される蓋体４が、金属パネル１に対しその周縁部を面当て磁着させる構成となっており、かつ、上述した開閉操作による着脱式となっているため、蓋体４付きの消火器ボックスでありながら、たとえ蓋体４の下半部手前側に障害物があったとしても、障害物との間に蓋体４を傾動させ上方に持ち上げるだけのスペースさえあれば簡単に取り外すことができ、容易かつ確実な開閉が成され、蝶番とラッチ機構を用いた蓋体構造に比し、消火器の取り出し態様を拡大することができる。しかも、蓋体４は、鋼板をプレス加工等により単に矩形状に形成するだけで良く製作が簡単であるばかりか、蝶番やラッチ機構を不要にしてコストダウンを図ることができ、さらに、面当て磁着させる周縁部が自由端となって蓋体４の寸法に自由度を持たせることが可能になる。
【００１９】
また、磁着部７は、肉厚な硬質磁石ではなく、可撓性を有する帯状のマグネットテープを用いて構成されるため、蓋体４の厚さ寸法を抑えられるだけでなく、マグネットテープを緩衝材に兼用することができる。
【００２０】
また、蓋体４は、ボックス本体３（又は金属パネル）に係合される係合部８を備えるので、ボックス本体３や金属パネル１に対する位置ズレも防止できる。また、本実施形態の係合部８は、ボックス本体３との係合により、蓋体４を仮支持するので、蓋体４の開閉操作性を一層向上させることができる。
【００２１】
また、蓋体４には、閉塞時にボックス内を目視可能にし、かつ、開閉時に指掛けとして機能する孔６ｂが形成されているので、単機能の窓や把手を設ける場合に比べ、蓋体４の構成を更に簡略化することができる。
【図面の簡単な説明】
【００２２】
【図１】パイプスペースを覆う金属パネルの斜視図である。
【図２】消火器ボックスの分解斜視図である。
【図３】消火器ボックスの正面図である。
【図４】消火器ボックスのＡ−Ａ断面図である。
【符号の説明】
【００２３】
１    金属パネル
１ａ  開口部
１ｂ  ブラケット
２    消火器ボックス
３    ボックス本体
３ａ  係合孔
４    蓋体
５    フック
６    プレート
６ａ  重合部
６ｂ  孔
７    磁着部
８    係合部
ＰＳ  パイプスペース
【図１】
2006102087.tif 000003
【図２】
2006102087.tif 000004
【図３】
2006102087.tif 000005
【図４】
2006102087.tif 000006